(57)【要約】      （修正有）【課題】構造が簡単で確実に電灯がつく新発送電気装置を提供する。【解決手段】新発送電気装置はバッテリ電源と、このバッテリ電源で動作する駆動モータと、この駆動モータにより駆動される発電機とバッテリ電源からの電力を駆動モータに供給するとともに、発電機により発生した電力をバッテリ電源に戻す充電並びに電力消費機器へ供給する配電変換器と、これらを収容するハウジング本体と、このハウジング本体の表面に設けたスイッチであり駆動モータを起動させる主スイッチ、および駆動モータの速度を切り替えるスイッチを具えたことを特徴とする。【選択図】図１
0003116591.tif 000002
【実用新案登録請求の範囲】
【請求項１】
本体パッケジ型・内部に設けられたＡ５バッテを中心に１２・１３キャブタイヤ・ケイブルを通しＢ１５にてバッテリ電源を通常の電源に直し２１配線を通じＥ２９電源（入）によってＦ３１・Ｇ３２スイッチを押す事で２６配線を通しＤ２８が初動する事で同時にＣ２４に伝わり２２を通し電気をＢ１５を経由し一方では１８電気配線を通り１６の明かりが灯り一方では３８通りＡ５バッテリに充電を目的とするよう構成した新発送電気装置。
【請求項２】
請求項１において述べたようにＤ２８・Ｃ２４・Ｂ１５をセットする事で１６・Ａ５への放電が１００％行き届くように構成した新発送電気装置
【考案の詳細な説明】
【考案の詳細な説明】
【産業上の利用分野】
【０００１】本考案は、離れた場所でも安心して移動型・バッテリ液（有）（無）計とか移動型・バッテリ機能＆数字計がセット出来る新発送電気装置に関する。
【背景技術】
【０００２】従来、エンジン・ウエルダとか自家用発電機とかは持ち運び自由で一般の人によく知られている。
【考案が解決しようとする課題】
【０００３】ところがこのようなエンジン・ウエルダとか自家用発電機とかは、まづ利用時はまづ音がしガソリンとかを補給する不便さがある、そこで本考案は。構造が簡単で幾ら使っても消耗率が少ない新発送電気装置を提供することを目的とし、その目的達成のために次の構成をとる。
【課題を解決するための手段】
【０００４】本考案の新発送電気装置は、図１の４本体パッケジ内部に設けられたＥ２９スイッチ（入）から始まリ、Ａ５バッテリの放電＆充電のみでは。アンペアが上がるのも程度があり、アンペアを上げる為にはＤ２８＆Ｃ２４を同時に発動することでアンペアも上向し余分に明かりが灯せる。本体パッケジ型とは種類では小型例えば家庭用のレンシレンジ程の大きさ。中型とは家庭用の洗濯機ほどの大きさ中型ほどになると図１に有るようにＤ２８モ−タに片面プ−リが付いているのおダブル。プ−リにし低速・低音・電源機能を１００％活かすにはプ−リの大きさで調整しＣ２４発電気を二台セットすることで電気の容量も。倍増するように構成した。構成にあたり新発送電気装置は各社の製品を応用し組み立てた製品、温暖化・環境にも好・各社にも応援を頂きぜひ実現したいと思う新発送電気装置。
【実施例】
【０００５】次に、図面に基づいて本考案の新発送電気装置の一実施例につき説明する。
図１は本体パッケジ型・装置の断面説明図である、図２は上から見た平面図の説明図、図３は図１の左から見た側面の説明図、図４は正面から見た正面説明図である、図５は正面から見た正面説明図、図６のＢ１５は図１正面から見た正面説明図、Ａ５は図１の右から見た側面図、Ｃ２４・Ｄ２８・Ｅ２９・Ｆ３１・Ｇ３２は正面から見た正面説明図である、
この実施例の新発送電気装置は、図１に示す如く本体パッケジ型内部にＤ２８モ−タによって２５ベルトを通じ受けるＣ２４発電気とはＤ２８の加勢を受け電気を作り３８キヤブタイヤ・ケイブルを通しＡ５バッテリへ充電・一方では１８電気配線を通し１６の明かりが灯る、【０００６】Ｂ１５変換機とはＡ５バッテリ電源を通常の電気に直し各所に放電の役目、Ｅ２９スイッチは電気（入）（切）電流過剰時は自動切りＦ３１スイッチとはモ−タへの（強）、Ｇ３２スイッチとはモータへの−（弱）のこと。
３４はバッテリ液（有）（無）計とは本体パッケジ固定取り付け型＆移動型有り・３５はバッテリ機能計＆数字計とはバッテリの機能をしてるか確認計のこと、３６・３７は３４・３５・Ａ５バッテリへの中間配管のこと、２０はＤ２８モ−タＣ２４発電気等をセットする吊り棚のこと、３９はバッテリ液補助タンク注入口蓋、１０はバッテリ液補給タンク固定バンド・ビスのこと、１１はＡ５バッテリの液が少なくなったら何時でも補給可能のバッテリ液・補給タンクのこと、【０００７】９とはＡ５バッテリ＆１１バッテリ液・補給タンクの中間。出止・コック、７は本体パッケジ型全体の危険防止アスのこと、８とは１１バッテリ液・補給タンク＆Ａ５バッテリの中管のこと、４０とはＢ１５変換機より３８キヤブタイヤ・ケイブルを通しＡ５バッテリへの充電時の換気口、４２とは４本体パッケジ型内部の熱覚ましの換気口、６とはＡ６バッテリ液の点検メモリのこと、４とは本体パッケジ型内部の機器類等の保護の為、３とは本体パッケジ型内部のＡ５バッテリの底を保護穴空き板、２とは３の支え足のこと、１とは４本体パッケジ型全体を底腐蝕防止の為の支え足のこと、図面・図１の１８・２１・２２・２６等は配線との名・１２・１３・３８等はキヤブタイヤ・ケイブルとの名、【０００８】４１とは４本体パッケジ型内部のモータの低音の音・雨・風・ゴミ・等の防止策のドア、１９とは開き閉めた時のロック、４３とは４本体パッケジ型と４１との片結びの丁番のこと、４４・４７とは計器計の移動型とは部屋内のさり気無く見れる場所まで引くリイド配線のこと、４６とは計器計・移動型・壁・取り付け盤のこと、４５とは移動型・バッテリ液（有）（無）計を４６に取り付ける事、４８とは移動型・バッテリ機能＆数字計を４６に取り付ける事、
【考案の効果】
【０００９】本考案の新発送電気装置とは小型で洗濯機の感じで持ち運び自由なパッケジ型・自宅・マンションとか部屋の片隅に置き、
利用したい場所に配線を引き電球をセットする事でスイッチを入れると明かりが灯る、２４時間毎日利用可能、音はモ−タの低速音なのでほとんど気に成らない音、ガソリン不要。無限で利用しても消耗品はこれだけ利用しても何年か先でバッテリ＆モ−タ＆発電機かなこれ等の製品の全体は低速にて利用するので消耗するのが先の事と思います
【図面の簡単な説明】
【００１０】本発明の新発送電気装置の説明図。【図１】全体図の断面説明図。
【図２】全体図の平面説明図。
【図３】全体図の側面説明図。
【図４】全体図の平面説明図。
【図５】図４と同じ
【図６】全体図の平面・側面説明図  キャブタイヤ・ケイブル＆配線・回路・説明図。
【符号の説明】
【００１１】  １  本体パッケイジ型支え足              ３６  計器管
２  パッケジ内の床板支え足              ３７  計器管
３  パッケジ内の床板                    ３８  キヤブタイヤ・ケイブル
４  本体パッケジ型                      ３９  補助タンク注入口蓋
５  Ａ５はバッテリ                      ４０  空気穴開口
６  Ａ５バッテリ液の目盛り              ４１  本体パッケジ・ドア
７  Ａ５バッテリからのア−ス            ４２  換気口
８  Ａ５バッテリへの補給管              ４３  本体パッケジ・丁番
９  Ａ５バッテリへの補給・出止・コック  ４４  計器計の移動型・配線
１０  補給タンク固定バンド・ビス          ４５  移動型・バッテリ液（有）（無）計
１１  バッテリ液・補給タンク              ４６  移動型・壁・取り付け盤
１２  キャブタイヤ・ケイブル              ４７  計器計・移動型・配線
１３  キャブタイヤ・ケイブル              ４８  移動型・バッテリ機能＆数字計
１４  変換機ボックス
１５  Ｂ１５変換機
１６  通常電球
１７  通常電球の傘
１８  電気・配線
１９  変換機ボックスのロック
２０  モータ吊り棚
２１  スイッチ盤への配線
２２  発電機から変換機への配線
２３  円型・プ−リ
２４  Ｃ２４発電機
２５  モ−タ・ベルト
２６  スイッチ盤からモ−タへの配線
２７  円型・プ−リ
２８  Ｄ２８モ−タ
２９  Ｅ２９電源・入・切・電流過剰時自動切り
３０  スイッチ盤
３１  Ｆ３１スイッチ（強）
３２  Ｇ３２スイッチ（弱）
３３  計器＆スイッチ盤取り付け固定板
３４  バッテリ液（有）（無）計
３５  バッテリ機能計＆数字計
【図１】
0003116591.tif 000003
【図２】
0003116591.tif 000004
【図３】
0003116591.tif 000005
【図４】
0003116591.tif 000006
【図５】
0003116591.tif 000007
【図６】
0003116591.tif 000008
【手続補正書】
【提出日】平成17年9月12日(2005.9.12)
【手続補正１】
【補正対象書類名】実用新案登録請求の範囲
【補正対象項目名】全文
【補正方法】変更
【補正の内容】
【実用新案登録請求の範囲】
【請求項１】
バッテリ電源（Ａ５）と、
このバッテリ電源（Ａ５）で動作する駆動モータ（Ｄ２８）と、
この駆動モータ（Ｄ２８）により駆動される発電機（Ｃ２４）と、
バッテリ電源（Ａ５）からの電力を前記駆動モータ（Ｄ２８）に供給するとともに、前記発電機（Ｃ２４）により発生した電力を、前記バッテリ電源（Ａ５）に戻す充電並びに電力消費機器（１６）への供給をする配電変換器（Ｂ１５）と、
これらバッテリ電源（Ａ５）、駆動モータ（Ｄ２８）、発電機（Ｃ２４）および配電変換器（Ｂ１５）を収容するハウジング本体（４）と、
このハウジング本体（４）の表面に設けたスイッチであり、前記駆動モータ（Ｄ２８）を起動させる主スイッチ（Ｅ２９）、および駆動モータ（Ｄ２８）の速度を切り替えるスイッチ（Ｆ３１，Ｇ３２）と
を具えたことを特徴とする発送電装置。
【請求項２】
さらに、バッテリ液残量計並びにバッテリ動作および電圧計を設け、ハウジング本体に固定もしくはリード線を介してハウジング本体から離れた場所に設置可能にした請求項１記載の発送電装置。
【手続補正２】
【補正対象書類名】明細書
【補正対象項目名】全文
【補正方法】変更
【補正の内容】
【考案の詳細な説明】
【技術分野】
【０００１】
本考案は、携帯式の発送電装置に関するものである。
【背景技術】
【０００２】
従来、このような携帯式の発送電装置としては、ガソリンエンジン式のウエルダまたは自家発電機が存在し、配電網を利用できない場所での溶接機作動や電灯の点灯等を行っていた。
【考案の開示】
【考案が解決しようとする課題】
【０００３】
しかし、このようなガソリンエンジン式のウエルダまたは自家発電機は、エンジン騒音が激しく、ガソリン補給を必要とするという不便があった。
【０００４】
したがって、本考案の目的は、構造簡単であり、ガソリン補給の不要な発送電装置を得るにある。
【課題を解決するための手段】
【０００５】
この目的を達成するため、本考案発送電装置は、
バッテリ電源と、
このバッテリ電源で動作する駆動モータと、
この駆動モータにより駆動される発電機と、
バッテリ電源からの電力を前記駆動モータに供給するとともに、前記発電機により発生した電力を、前記バッテリ電源に戻す充電並びに電力消費機器への供給をする配電変換器と、
これらバッテリ電源、駆動モータ、発電機および配電変換器を収容するハウジング本体と、
このハウジング本体の表面に設けたスイッチであり、前記駆動モータを起動させる主スイッチ、および駆動モータの速度を切り替えるスイッチと
を具えたことを特徴とする。
【考案の効果】
【０００６】
本考案発送電装置によれば、小型のハウジングに収納されたバッテリ電源および発電機により、配電網を利用できない場所に、簡単に持ち運んで、電力消費機器例えば、ウエルダ動作または電灯点灯をさせることができるとともに、バッテリ電源で作動する発電機によって発生した余剰電力をバッテリ電源に蓄電でき、従来の発送電装置のようなガソリン補給を不要とし、次にバッテリ交換するまでの期間が相当長くなる。
【考案を実施するための最良の形態】
【０００７】
本発明の好適な実施例によれば、バッテリ液残量計並びにバッテリ動作および電圧計を設け、ハウジング本体に固定もしくはリード線を介してハウジング本体から離れた場所に設置可能にする。
【０００８】
次に、図面につき、本考案の好適な実施例を詳細に説明する。
【実施例１】
【０００９】
図１に、本考案発送電装置の好適な実施例を示す。本考案発送電装置のハウジング底部を腐食から防止するようハウジング底面外部に支え足１を有し、ハウジング底面内部にバッテリを支持する支え足２を有し、穴空き保護板３を介してハウジング本体４の内部にバッテリＡ５を配置する。
【００１０】
このバッテリＡ５は、バッテリ液量を示す目盛り６を設ける。また、アース７によりバッテリを適切な箇所に接地する。バッテリ液の残量が少なくなったとき、補給管８に設けたコック９を操作することにより、ハウジング本体４の内部に固定バンドおよびビス１０で固定した補給タンク１１からバッテリ液をバッテリＡ５に補充する。補給タンク１１には、注入口３９からバッテリ液を注入する。
【００１１】
バッテリＡ５は、キャブタイヤ・ケーブル１２，１３、および３８を介して、変換器ボックス１４に設けた配電変換器Ｂ１５に接続する。キャブタイヤ・ケーブル１２，１３は、バッテリＡ５から配電変換器Ｂ１５を介して他の電力消費機器に電力を送配電するためのケーブルであり、例えば、図１に示したような通常の電球１６（参照番号「１７」は電球の傘）に、他のキャブタイヤ・ケーブル１８を介して電力を供給する。
【００１２】
ハウジング本体４の内部に設けるモータ音を遮音し、雨・風、塵埃をシャットアウトするようハウジング本体４を閉鎖するとともに、外部から、ハウジング内部のバッテリＡ５または配電変換器Ｂ１５等にアクセスするためのドア４１をヒンジ４３によりハウジング本体４に設け、このドア４１にロック付きハンドル１９を設ける。さらに、ハウジング本体４には、換気口４２を設ける。配電変換器Ｂ１５のみにアクセスするための変換器ボックス１４に設けた小ドアをドア４１に設け、この小ドアにもロック付きハンドル１９を設ける。
【００１３】
ハウジング本体４内に吊り棚２０を設ける。この吊り棚２０には、バッテリＡ５および配電変換器Ｂ１５から、配線２１、２６およびスイッチＥ２９、Ｆ３１、Ｇ３２を介して電力を供給されてプーリ２７を駆動する駆動モータＤ２８と、駆動されるプーリ２７およびベルト２５によって回転するプーリ２３で発電する発電機Ｃ２４とを取り付ける。
【００１４】
駆動モータＤ２８は、用途に応じて片面プーリ型、または両面プーリ型とし、片面プーリ型の場合は一台の発電機Ｃ２４を設置し、両面プーリ型の場合は２台の発電機Ｃ２４を設置して容量・能力を大きくする。小容量用片面プーリ型の単独発電機を有するハウジング本体４は電子レンジ程度の大きさとなり、大容量両面プーリ型のダブル発電機を有するハウジング本体４は家庭用電気洗濯機程度の大きさとなる。
【００１５】
この発電機Ｃ２４によって発生した電力は、配線２２、配電変換器Ｂ１５、およびキャブタイヤ・ケーブル３８を介してバッテリＡ５に配電されてこのバッテリＡ５を充電するとともに、配線１８を介して例えば、電球１６を点灯させる。バッテリＡ５のキャブタイヤ・ケーブル３８との接続部には、バッテリ充電時に発生する熱を放出するための換気口４０を設ける。
【００１６】
スイッチＥ２９、Ｆ３１、およびＧ３２は、ハウジング本体４の表面に設けたスイッチ盤３０に取り付ける。スイッチＥ２９は、駆動モータＤ２８をオン・オフするスイッチであり、また、電流過剰時には自動的にオフになるようにする。スイッチＦ３１、およびＧ３２も駆動モータＤ２８の速度を切り替えるスイッチであり、スイッチＦ３１を、高速で駆動モータＤ２８を作動させるスイッチとし、スイッチＧ３２を、低速で駆動モータＤ２８を作動させるスイッチとする。
【００１７】
ハウジング本体４には、さらに、配線３６，３７を介してバッテリＡ５に接続したバッテリ残量計３４並びにバッテリ動作および電圧計３５を取り付ける固定板３３を設ける。図１の実施例では、この固定板３３に上記のスイッチ盤３０も設ける。
【００１８】
バッテリ液残量計およびバッテリ動作および電圧計は、ハウジング本体に固定するが、図４に示すように、リード線４４、４７を介してバッテリ液残量計４５およびバッテリ動作および電圧計４８を設けた取付盤４６を、ハウジング本体から離れた場所に設置可能にすることもできる。
【図面の簡単な説明】
【００１９】
【図１】本考案発送電装置を正面から見た線図的説明図である。
【図２】本考案発送電装置を上面から見た線図的説明図である。
【図３】本考案発送電装置を側面から見た線図的説明図である。
【図４】本考案発送電装置のハウジング本体から離れた場所に、リード線を介して設置可能にしたバッテリ液残量計並びにバッテリ動作および電圧計を設けた取付盤４６の説明図である。
【図５】本考案発送電装置の正面ドアの説明図である。
【図６】本考案発送電装置の動作説明図である。
【符号の説明】
【００２０】
１  （ハウジング本体の）支え足
２  （バッテリの）支え足
３  穴空き保護板
４  ハウジング本体
Ａ５  バッテリ
６  （バッテリ液量）目盛り
７  アース
８  補給管
９  コック
１０  固定バンドおよびビス
１１  補給タンク
１２  キャブタイヤ・ケーブル
１３  キャブタイヤ・ケーブル
１４  変換器ボックス
Ｂ１５  配電変換器
１６  電球
１７  電球の傘
１８  配線
１９  ロック付きハンドル
２０  吊り棚
２１  配線
２２  配線
２３  プーリ
Ｃ２４  発電機
２５  ベルト
２６  配線
２７  プーリ
Ｄ２８  駆動モータ
Ｅ２９  スイッチ
３０  スイッチ盤
Ｆ３１  駆動モータ速度切り替えるスイッチ（高速用）
Ｇ３２  駆動モータ速度切り替えるスイッチ（低速用）
３３  固定板
３４  バッテリ残量計
３５  バッテリ動作および電圧計
３６  配線
３７  配線
３８  キャブタイヤ・ケーブル
３９  注入口
４０  換気口
４１  ドア
４２  換気口
４３  ヒンジ
４４  リード線
４５  バッテリ液残量計
４６  取付盤
４７  リード線
４８  バッテリ動作および電圧計